(57)【要約】【課題】  磁気式の利用券や大掛かりなシステムを用いずに、利用券の不正な割引処理を確実に防止することのできる駐車場管理システムを提供する。【解決手段】  利用者のＩＤ情報を読み取る入場用カードリーダ６を備えた入場管理装置３と、店舗に設置され、利用者のＩＤ情報を読み取る店舗用カードリーダ１０を備え、このＩＤ情報および割引情報を印字してサービス券を発行するサービス券発行機９と、サービス券読み取り部２０により読み取られたＩＤ情報と精算用カードリーダ１９により読み取られたＩＤ情報とを照合し、両ＩＤ情報が一致する場合にのみ割引処理を行う料金精算機７と、を備えている。【選択図】      図２
2010128836.tif 000002
【特許請求の範囲】
【請求項１】
利用者の利用者情報を読み取る入場用読み取り部を備えた入場管理装置と、
店舗に設置され、前記利用者の利用者情報を読み取る店舗用読み取り部と、前記店舗用読み取り部で読み取られた利用者情報および割引情報を印字する印字部とを備えたサービス券発行機と、
前記利用者の利用情報を読み取る精算用読み取り装置と、前記サービス券を読み取るサービス券読み取り部とを備え、前記サービス券読み取り部により読み取られた利用者情報と前記精算用読み取り装置により読み取られた利用者情報とを照合し、前記サービス券読み取り部により読み取られた利用者情報が一致する場合にのみ割引処理を行う料金精算機と、
を備えていることを特徴とする駐車場管理システム。
【請求項２】
前記利用者情報は、ＩＤカードに記録されたＩＤ情報であり、前記入場用読み取り部、店舗用読み取り部および精算用読み取り装置は、カード読み取り部であることを特徴とする請求項１に記載の駐車場管理システム。
【請求項３】
前記ＩＤカードは、非接触式のＩＤカードであることを特徴とする請求項２に記載の駐車場管理システム。
【請求項４】
前記サービス券発行機により印字される利用者情報および割引情報は、二次元のコードとして書き込まれていることを特徴とする請求項１から請求項３のいずれか一項に記載の駐車場管理システム。
【発明の詳細な説明】
【技術分野】
【０００１】
本発明は駐車場管理システムに係り、特に、磁気式の利用券を用いることなく、不正な割引処理を防止することを可能とした駐車場管理システムに関するものである。
【背景技術】
【０００２】
一般に、時間貸しの駐車場においては、駐車場利用者に対して駐車券を発行するようにしており、この駐車券としては、従来、一面に磁気記録面を有し、この磁気記録面に所定の情報を記録するようにしてなる磁気式の駐車券がある。
この磁気式の駐車券は、簡単に複製しにくく、変形などに対してある程度の耐性があり、駐車場の提携店舗による駐車料金の割引処理などの追記が可能であるといった理由から従来から多く用いられている。
【０００３】
そして、駐車料金の割引処理を行う場合に、駐車場に駐車した利用者が店舗により、磁気化レシートを発行し、この磁気化レシートの記録に基づいて駐車場からの出場管理を行うようにした技術が開示されている（例えば、特許文献１参照）。
【０００４】
また、その他の駐車場の管理手段として、ＩＤ番号が記録されているＩＣカードを読み取り、このＩＣカードのＩＤ番号に基づいて駐車管理を行うようにした技術が開示されている（例えば、特許文献２参照）。
【特許文献１】特開平１０−１９８８２９号公報
【特許文献２】特開２００５−０７８４０５号公報
【発明の開示】
【発明が解決しようとする課題】
【０００５】
しかしながら、前記特許文献１に記載の発明においては、駐車券とは別個に店舗により磁気化レシートを発行するものであり、駐車券と磁気化レシートとを関係付けるものではないことから、他人の利用した磁気化レシートを用いることにより、不正に割引処理が行われてしまい、不正に安い駐車料金で出庫することが可能となってしまうという問題を有している。
【０００６】
また、前記特許文献２に記載の発明においては、ＩＣカードにより駐車管理を行うものであるが、店舗で行う割引サービスをＩＣカードに関係付ける場合には、各店舗に駐車場管理システムとの通信手段を設置する必要があり、各店舗における割引サービスの利用者が少ない場合には割高なものとなり、しかも、システム全体が大規模で高価なものとなるというという問題を有している。
【０００７】
本発明は前記した点に鑑みてなされたものであり、磁気式の利用券や大掛かりなシステムを用いずに、利用券の不正な割引処理を確実に防止することのできる駐車場管理システムを提供することを目的とするものである。
【課題を解決するための手段】
【０００８】
本発明は前記目的を達成するために、請求項１に記載の発明に係る駐車場管理システムは、用者の利用者情報を読み取る入場用読み取り部を備えた入場管理装置と、
店舗に設置され、前記利用者の利用者情報を読み取る店舗用読み取り部と、前記店舗用読み取り部で読み取られた利用者情報および割引情報を印字する印字部とを備えたサービス券発行機と、
前記利用者の利用情報を読み取る精算用読み取り装置と、前記サービス券を読み取るサービス券読み取り部とを備え、前記サービス券読み取り部により読み取られた利用者情報と前記精算用読み取り装置により読み取られた利用者情報とを照合し、前記サービス券読み取り部により読み取られた利用者情報が一致する場合にのみ割引処理を行う料金精算機と、
を備えていることを特徴とする。
【０００９】
請求項２に係る発明は、請求項１において、前記利用者情報は、ＩＤカードに記録されたＩＤ情報であり、前記入場用読み取り部、店舗用読み取り部および精算用読み取り装置は、カード読み取り部であることを特徴とする。
【００１０】
請求項３に係る発明は、請求項２において、前記ＩＤカードは、非接触式のＩＤカードであることを特徴とする。
【００１１】
請求項４に係る発明は、請求項１から請求項３のいずれか一項において、前記サービス券発行機により印字される利用者情報および割引情報は、二次元のコードとして書き込まれていることを特徴とする。
【発明の効果】
【００１２】
請求項１に係る発明によれば、入場管理装置により読み取った利用者情報を料金精算機の入場情報記憶部に記憶させ、料金精算機により読み取った利用者情報と、店舗のサービス券発行機により書き込まれた利用者情報とを照合して、割引情報が正規なものであるか否かを判断するようにしているので、不正な割引処理を確実に防止することができる。また、磁気式の駐車券を用いる必要がないので、運用コストの低減を図ることができ、環境面にも配慮した駐車場のシステム運営が可能となる。また、駐車料金の割引サービスを行う店舗に、駐車場システムと接続するための通信システムを設置したりする必要がないため、設備コストを低く抑えることができ、安価で確実な駐車料金の割引サービスを実現することが可能となる。
【００１３】
請求項２に係る発明によれば、利用者情報をＩＤカードに記録されたＩＤ情報とし、入場用読み取り部、店舗用読み取り部および精算用読み取り装置をカード読み取り部としているので、ＩＤカードを読み取ることにより、不正な割引処理を防止して、確実な駐車料金の割引サービスを行うことができる。
【００１４】
請求項３に係る発明によれば、ＩＤカードを非接触式のＩＤカードとしているので、
ＩＤカードを書く読み取り部にかざすだけで、ＩＤカードを読み取ることができ、不正な割引処理を防止して、確実な駐車料金の割引サービスを行うことができる。
【００１５】
請求項４に係る発明によれば、サービス券発行機により印字される利用者情報および割引情報を二次元のコードとして書き込むようにしているので、この二次元コードを読み取ることにより容易にサービス券に記録された情報を得ることができる。
【発明を実施するための最良の形態】
【００１６】
以下、本発明の実施の形態について図面を参照しながら説明する。
【００１７】
図１および図２は本発明に係る駐車場管理システムの実施形態を示す概略図である。図１および図２に示すように、本実施形態の駐車場管理システム１は、駐車場の入場ゲートバー２付近に設置された入場管理装置３を備えており、入場管理装置３は、車両検知器４により駐車場の入口に車両が接近したことを検出した場合に動作を行う入場管理制御部５を備えている。入場管理装置３には、利用者のＩＤカードを読み取ってＩＤカードのＩＤ情報を入場管理制御部５に送る利用者情報読み取り装置としての入場用カードリーダ６が設けられており、入場管理装置３には、入場用カードリーダ６による読み取られたＩＤ情報および入場時刻情報を料金精算機７に通知する通信部８が設けられている。
【００１８】
なお、本実施形態においては、利用者情報を取得するための媒体としてＩＤカードを用いた場合について説明する。ＩＤカードとしては、Ｆｅｌｉｃａカードなどの非接触式カード、クレジットカードなどの磁気記録式カードあるいは運転免許証などが適用可能である。ＩＤカードとして非接触式のカードを用いる場合には、入場用カードリーダ６として非接触式のカードリーダが用いられるものであり、ＩＤ情報としては、例えば、ＩＤカードの製造番号などが用いられる。また、ＩＤカードとしてクレジットカードを用いる場合は、挿入式の磁気カードリーダが用いられるものであり、ＩＤ情報としては、例えば、クレジットカードのカード番号などが用いられる。さらに、ＩＤカードとして運転免許証などを用いる場合は、カメラあるいはラインスキャナなどによるカードリーダを用い、読み取った画像から文字認識することによりＩＤ情報を取得するものであり、ＩＤ情報としては、例えば、運転免許証番号などが用いられる。
【００１９】
また、その他、利用者情報を取得するための媒体として、利用者の指紋や静脈などの生体情報を用いるようにしてもよい。この場合には、利用者情報読み取り装置として、指紋認証装置や静脈認証装置などが用いられる。
【００２０】
また、駐車場と提携している店舗には、サービス券発行機９が設置されており、サービス券発行機９には、ＩＤカードを読み取る店舗用カードリーダ１０が設けられている。また、サービス券発行機９には、店舗用カードリーダ１０により読み取られたＩＤカードのＩＤ情報および割引情報に基づいて「ＱＲコード」（ＪＩＳＸ０５１０）を生成する店舗用制御部１１が設けられている。サービス券発行機９には、店舗用制御部１１により生成されたＱＲコードを印字してサービス券を作成する印字部１２が設けられるとともに、この印字部１２に券用紙を供給する券供給部１３が設けられている。なお、サービス券に印字するコードとしては、ＱＲコード以外に、他の規格の二次元コードや、一次元のいわゆるバーコードを用いてもよい。さらに、文字認識技術を用いることで、暗号化した状態で目視可能な文字そのものを機械読取りに利用するようにしてもよい。
【００２１】
また、印字部１２の印字方式としては、例えば、サーマルヘッドによる感熱印字の他、熱転写印字、ドットプリンタ、インクジェットプリンタなどの印字結果が機械読取りおよび目視可能な方式であれば、いずれの方式を用いるようにしてもよい。
【００２２】
また、駐車場の出場ゲートバー１４付近には、料金精算機７が設置されており、料金精算機７は、車両検知器１５により車両が駐車場の出口に接近したことを検出した際に、動作を行う精算用制御部１６を備えている。料金精算機７には、入場管理装置３の通信部８から送信されるＩＤ情報および入場時刻情報を受信する通信部１７が設けられており、料金精算機７には、入場管理装置３から送信されるＩＤ情報および入場時刻情報を記録する入場情報記憶部１８が設けられている。また、料金精算機７には、利用者のＩＤカードを読み取る精算用カードリーダ１９が設けられており、料金精算機７には、サービス券に書き込まれたＱＲコードを読み取ってＩＤ情報および割引情報を読み取るサービス券読み取り部２０が設けられている。
【００２３】
さらに、精算用制御部１６は、サービス券読み取り部２０により読み取られたＩＤ情報を、入場情報記憶部１８に記憶されているＩＤ情報と照合して、サービス券が有効か無効かを判定するように構成されており、精算用制御部１６は、入場情報記憶部１８に記憶されている入場時刻情報と現在の時刻とに基づいて所定の駐車料金を計算するとともに、サービス券読み取り部２０により読み取られたサービス券のサービス情報に基づいて割引精算処理を行うように構成されている。
【００２４】
なお、本実施形態においては、入場情報記憶部１８を料金精算機７に設置するようにしているが、入場情報記憶部１８を、入場管理装置３側に設置するようにしてもよく、この場合には、料金精算機７においてＩＤ情報の照合を行う際に、料金精算機７に入場情報を送信するようにすればよい。
【００２５】
また、前記実施形態においては、精算用カードリーダ１９、サービス券読み取り部２０、精算用制御部１６、入場情報記憶部１８などを駐車場の出場口側に設置された料金精算機７に設けるようにしているが、車両に乗車する前に精算を行う事前精算機に同様な構成を設けるようにしてもよい。
【００２６】
次に、本実施形態の作用について図３から図５に示すフローチャートを参照して説明する。
【００２７】
まず、駐車場の入場処理について図３を参照して説明する。
駐車場の入口に車両が接近したことを車両検知器４が検出したら（ＳＴ１）、入場管理制御部５が動作して入場用カードリーダ６により利用者のＩＤカードの読み取りを行う（ＳＴ２）。ＩＤカードの読み取りが適正に行われたら（ＳＴ３：Ｙｅｓ）、カーゲートが開き車両が入場可能となる。そして、車両が入場したら（ＳＴ４）、ＩＤカードから読み取ったＩＤ情報と駐車場の入場時刻情報を通信部８により、料金精算機７に通知する（ＳＴ５）。料金精算機７は、入場管理装置３から送られるＩＤ情報および入場時刻情報を入場情報記憶部１８に記憶させる（ＳＴ６）。
【００２８】
次に、駐車場の利用者が店舗において駐車料金割引の依頼をした場合は、図４に示すように、店舗用制御部１１を動作させて店舗用カードリーダ１０により利用者のＩＤカードの読み取りを行う（ＳＴ１０）。ＩＤカードの読み取りが適正に行われたら（ＳＴ１１：Ｙｅｓ）、ＩＤ情報と割引情報を含むＱＲコードを生成し（ＳＴ１２）、券供給部１３から送られる券用紙に印字部１２により印字し、サービス券を発行する（ＳＴ１３）。
【００２９】
次に、料金精算機７による精算処理について図５に示すフローチャートを参照して説明する。
【００３０】
駐車場の出口に車両が接近したことを車両検知器１５が検出したら（ＳＴ２０）、精算用制御部１６を動作させて精算用カードリーダ１９により利用者のＩＤカードの読み取りを行う（ＳＴ２１）。ＩＤカードの読み取りが適正に行われたら（ＳＴ２２：Ｙｅｓ）、精算用制御部１６により読み取ったＩＤカードのＩＤ情報と場情報記憶部１８に記憶されているＩＤ情報とを照合し、読み取ったＩＤ情報が入場情報記憶部１８に記憶されている場合は（ＳＴ２３：Ｙｅｓ）、割引を行わない駐車料金を計算する（ＳＴ２４）。読み取ったＩＤ情報が入場情報記憶部１８に記憶されていない場合は（ＳＴ２３：Ｎｏ）、精算処理を終了する。
【００３１】
続いて、サービス券読み取り部２０により、サービス券を読み取り（ＳＴ２５）、読み取ったサービス券のＩＤ情報と精算用カードリーダ１９により読み取られたＩＤ情報とを照合し、サービス券のＩＤ情報と読み取ったＩＤ情報とが一致している場合は（ＳＴ２６：Ｙｅｓ）、サービス券が有効期限内のものか否かを判定する（ＳＴ２７）。そして、サービス券が有効期限内の場合は（ＳＴ２７：Ｙｅｓ）、サービス券の割引情報に基づいて割引後の駐車料金を計算する（ＳＴ２８）。一方、サービス券から読み取ったＩＤ情報が入場情報記憶部１８に記憶されていない場合（ＳＴ２６：Ｎｏ）およびサービス券が有効期限内のものでない場合（ＳＴ２７：Ｎｏ）は、割引を行わない駐車料金を計算する（ＳＴ２９）。
【００３２】
その後、取消操作が行われていない場合には（ＳＴ３０：Ｎｏ）、利用者が料金を支払い（ＳＴ３１）、精算処理が完了したら（ＳＴ３２：Ｙｅｓ）、カーゲートを開き、車両が出場した後（ＳＴ３３）、ＩＤ情報を入場情報記憶部１８から削除する（ＳＴ３４）。
【００３３】
一方、料金の精算処理が完了する前に取消操作が行われた場合は（ＳＴ３０：Ｙｅｓ）、サービス券が料金精算機７の内部に保留されていて返却可能な場合には、既に投入された現金があればそれを返却して精算動作を中止し、サービス券を返却する。この場合には、入場情報記憶部１８のＩＤ情報の削除処理は行わない。
【００３４】
したがって、本実施形態においては、入場管理装置３により読み取ったＩＤカードのＩＤ情報を料金精算機７の入場情報記憶部１８に記憶させ、料金精算機７により読み取ったＩＤ情報と、店舗のサービス券発行機９により書き込まれたＩＤカードのＩＤ情報とを照合して、割引情報が正規なものであるか否かを判断するようにしているので、駐車券と別個にサービス券を発行した場合で生じる不正な割引処理を確実に防止することができる。また、磁気式の駐車券を用いる必要がないので、運用コストの低減を図ることができ、環境面にも配慮した駐車場のシステム運営が可能となる。
【００３５】
また、駐車料金の割引サービスを行う店舗に、駐車場システムと接続するための通信システムを設置したりする必要がないため、設備コストを低く抑えることができ、安価で確実な駐車料金の割引サービスを実現することが可能となる。
【００３６】
なお、本発明は上記実施形態に限定されるものではなく、本発明の趣旨に基づいて種々の変形が可能である。
【図面の簡単な説明】
【００３７】
【図１】本発明に係る駐車場管理システムの実施形態を示す概略構成図である。
【図２】本発明に係る駐車場管理システムを示すブロックである。
【図３】本実施形態における入場処理の動作を示すフローチャートである。
【図４】本実施形態におけるサービス券発行処理の動作を示すフローチャートである。
【図５】本実施形態における精算処理の動作を示すフローチャートである。
【符号の説明】
【００３８】
１  駐車場管理システム
３  入場管理装置
４，１５  車両検知器
５  入場管理制御部
６  入場用カードリーダ
７  料金精算機
８，１７  通信部
９  サービス券発行機
１０  店舗用カードリーダ
１１  店舗用制御部
１２  印字部
１３  券供給部
１６  精算用制御部
１８  入場情報記憶部
１９  精算用カードリーダ
２０  サービス券読み取り部
【図１】
2010128836.tif 000003
【図２】
2010128836.tif 000004
【図３】
2010128836.tif 000005
【図４】
2010128836.tif 000006
【図５】
2010128836.tif 000007